(57)【要約】【課題】建築板同士の接合箇所を目立ちにくくすることができ、さらに１枚の建築板が複数の単位からなることを認識しにくくすることができる建築板を提供する。【解決手段】複数の凸条２を平行に設けて形成された建築板１に関する。建築板１を隣り合わせて設置する場合に隣り合う建築板１，１の接合箇所に形成される接合目地３と同じ形状の第１疑似目地４１が接合目地３と平行に設けられている。第１疑似目地４１の幅よりも狭い幅を有し、かつ第１疑似目地４１の深さ以下の深さを有する第２疑似目地４２が接合目地３と平行に設けられている。【選択図】図１
2015140607.tif 000002
【特許請求の範囲】
【請求項１】
複数の凸条を平行に設けて形成された建築板であって、
前記建築板を隣り合わせて設置する場合に隣り合う前記建築板の接合箇所に形成される接合目地と同じ形状の第１疑似目地が前記接合目地と平行に設けられ、
前記第１疑似目地の幅よりも狭い幅を有し、かつ前記第１疑似目地の深さ以下の深さを有する第２疑似目地が前記接合目地と平行に設けられていることを特徴とする
建築板。
【請求項２】
複数の凸条を平行に設けて形成された建築板であって、
前記建築板を隣り合わせて各建築板の前記凸条同士が平行となるように設置する場合に隣り合う前記建築板の接合箇所に形成される接合目地と同じ形状の第１疑似目地が、隣り合う凸条同士の間に設けられ、
幅及び深さの少なくともいずれか一方の寸法が前記第１疑似目地よりも小さい第２疑似目地が、前記第１疑似目地が設けられた隣り合う凸条同士とは異なる隣り合う凸条同士の間に設けられていることを特徴とする
建築板。
【発明の詳細な説明】
【技術分野】
【０００１】
本発明は、外壁材等の建築板に関する。
【背景技術】
【０００２】
従来、建築板として、表面にタイルやレンガ状の疑似目地が設けられた外装材が知られている（例えば、特許文献１参照）。そしてこの外装材においては、縦目地の仕上り幅を疑似目地と略同じ幅としたことにより、外観上、横方向に隣接する両外装材間の目地の外装材表面の疑似目地との差異をなくして、複数枚の外装材を使用した外装面の外観の向上を図ることができるというものである。
【先行技術文献】
【特許文献】
【０００３】
【特許文献１】特開平１０−１５２９６６号公報
【発明の概要】
【発明が解決しようとする課題】
【０００４】
特許文献１に記載の疑似目地は、隣接する両外装材間の目地を目立ちにくくする点では有効であるが、他方において１枚の外装材が複数の単位からなることを強調しすぎる。特許文献１に記載の外装材のように、表面にタイルやレンガ状の模様が形成されている場合には、１枚の外装材が複数枚のタイルやレンガからなることが強調されてもよいが、このような模様以外の模様が外装材の表面に形成されている場合には、複数の単位からなることを強調したくない場合もある。
【０００５】
本発明は上記の点に鑑みてなされたものであり、建築板同士の接合箇所を目立ちにくくすることができ、さらに１枚の建築板が複数の単位からなることを認識しにくくすることができる建築板を提供することを目的とする。
【課題を解決するための手段】
【０００６】
本発明の第１の態様に係る建築板は、複数の凸条を平行に設けて形成された建築板であって、
前記建築板を隣り合わせて設置する場合に隣り合う前記建築板の接合箇所に形成される接合目地と同じ形状の第１疑似目地が前記接合目地と平行に設けられ、
前記第１疑似目地の幅よりも狭い幅を有し、かつ前記第１疑似目地の深さ以下の深さを有する第２疑似目地が前記接合目地と平行に設けられていることを特徴とする。
【０００７】
本発明の第２の態様に係る建築板は、複数の凸条を平行に設けて形成された建築板であって、
前記建築板を隣り合わせて各建築板の前記凸条同士が平行となるように設置する場合に隣り合う前記建築板の接合箇所に形成される接合目地と同じ形状の第１疑似目地が、隣り合う凸条同士の間に設けられ、
幅及び深さの少なくともいずれか一方の寸法が前記第１疑似目地よりも小さい第２疑似目地が、前記第１疑似目地が設けられた隣り合う凸条同士とは異なる隣り合う凸条同士の間に設けられていることを特徴とする。
【発明の効果】
【０００８】
本発明によれば、第１疑似目地と第２疑似目地とが相俟って、建築板同士の接合箇所を目立ちにくくすることができ、さらに１枚の建築板が複数の単位からなることを認識しにくくすることができる。
【図面の簡単な説明】
【０００９】
【図１】本発明に係る建築板の一例を示す正面図である。
【図２】（ａ）は凸条の一例を示す断面図、（ｂ）は凸条の他の一例を示す断面図、（ｃ）は凸条のさらに他の一例を示す断面図である。
【図３】本発明に係る建築板の一例の一部を拡大して示す断面図である。
【図４】（ａ）は接合目地の一例を示す断面図、（ｂ）は第１疑似目地の一例を示す断面図、（ｃ）は第２疑似目地の一例を示す断面図である。
【図５】（ａ）は第１疑似目地及び第２疑似目地を設けた建築板の一例を示す概略正面図、（ｂ）は（ａ）に示す建築板を上下に２枚隣り合わせて設置した場合の概略正面図である。
【図６】（ａ）は第１疑似目地を設け、かつ第２疑似目地を設けない建築板の一例を示す概略正面図、（ｂ）は（ａ）に示す建築板を上下に２枚隣り合わせて設置した場合の概略正面図である。
【発明を実施するための形態】
【００１０】
以下、本発明の実施の形態を説明する。
【００１１】
本発明に係る建築板１は、図１に示すように矩形状に形成され、表面に複数の凸条２を左右方向に平行に設けて形成されている。本発明の効果を損なわなければ、複数の凸条２，２同士は厳密に平行である必要はなく、略平行でもよい。特に断らない限り、上下左右は建築板１を外壁材（サイディング）として設置した状態での方向を意味する。凸条２は建築板１の屋外側に突出して細長く形成されている。凸条２が上下に隣り合い、この凸条２，２同士の間に凹条４が形成されて、建築板１の表面に横縞の凹凸模様７が形成されることになる。建築板１の表面に設けられる凸条２の本数は特に限定されないので、その間に形成される凹条４の本数も特に限定されない。なお、建築板１の上下方向の長さは２５０〜１０００ｍｍ程度、左右方向の長さは３００〜４２００ｍｍ程度、厚さは５〜５０ｍｍ程度である。
【００１２】
凸条２は、例えば、図２（ａ）に示すように断面が三角形状に形成されている。この場合、断面の三角形は正三角形でも二等辺三角形でもその他の三角形でもよいが、底辺の長さは２〜１６ｍｍ程度、高さは１〜８ｍｍ程度である。
【００１３】
また凸条２は、図２（ｂ）（ｃ）に示すように断面が台形状に形成されていてもよい。この場合、断面の台形は等脚台形でもその他の台形でもよいが、上底の長さは０．５〜１０ｍｍ程度、下底の長さは３〜２４ｍｍ程度、高さは１〜８ｍｍ程度である。
【００１４】
建築板１の表面には、断面形状が同じ１種類の凸条２のみを複数設けてもよいし、図３に示すように断面形状が異なる複数種類の凸条２を設けてもよい。複数種類の凸条２を設ける場合、これらの凸条２の配列は規則的でもよいし、不規則でもよい。凹条４は、隣り合う凸条２の斜面によって、断面が逆三角形状や逆台形状などに形成されている。
【００１５】
建築板１を上下に隣り合わせて各建築板１の凸条２，２同士が平行となるように設置する場合に上下に隣り合う建築板１，１の接合箇所に接合目地３が形成される。接合目地３は、図４（ａ）に示すように、断面が逆台形状の溝として形成されてもよいし、図示省略しているが逆三角形状の溝として形成されてもよい。
【００１６】
そして、本発明においては、建築板１の表面に第１疑似目地４１及び第２疑似目地４２が設けられている。第１疑似目地４１及び第２疑似目地４２は凹条４の一部又は全部を構成している。
【００１７】
第１疑似目地４１は、主として建築板１，１同士の接合箇所である接合目地３を目立ちにくくするためのものであり、隣り合う凸条２，２同士の間において接合目地３と平行に設けられている。本発明の効果を損なわなければ、第１疑似目地４１と接合目地３とは厳密に平行である必要はなく、略平行でもよい。第１疑似目地４１の本数は特に限定されないが、接合目地３と第１疑似目地４１との間隔、第１疑似目地４１，４１同士の間隔は等しいことが好ましい。また第１疑似目地４１は、接合目地３と同じ形状である。例えば、図４（ａ）に示すように接合目地３が、断面が逆台形状の溝として形成されている場合、第１疑似目地４１も、図４（ｂ）に示すように断面が逆台形状の溝として形成されている。第１疑似目地４１の開口幅Ｗ１及び深さＤ１は、接合目地３の開口幅Ｗ０及び深さＤ０と実質的に等しく、接合目地３が目立たなければ厳密に等しくなくてもよい。なお、接合目地３及び第１疑似目地４１の開口幅Ｗ０，Ｗ１は、１．５〜１８ｍｍ程度、深さＤ０，Ｄ１は１〜８ｍｍ程度である。
【００１８】
第２疑似目地４２も、第１疑似目地４１と同様に接合目地３と平行に設けられている。本発明の効果を損なわなければ、第２疑似目地４２と接合目地３とは厳密に平行である必要はなく、略平行でもよい。第２疑似目地４２は、第１疑似目地４１が設けられた隣り合う凸条２，２同士とは異なる凸条２，２同士の間に設けられている。第２疑似目地４２の本数も特に限定されない。第２疑似目地４２は、接合目地３と第１疑似目地４１との間や、第１疑似目地４１，４１同士の間に設けられる。第２疑似目地４２と接合目地３との間隔、第２疑似目地４２と第１疑似目地４１との間隔、第２疑似目地４２，４２同士の間隔は等しくても等しくなくてもよい。
【００１９】
また本発明の第１の態様において第２疑似目地４２は、第１疑似目地４１の幅よりも狭い幅を有し、かつ第１疑似目地４１の深さ以下の深さを有するが、断面形状は相似であることが好ましい。例えば、図４（ｂ）に示すように第１疑似目地４１が、断面が逆台形状の溝として形成されている場合、好ましくは第２疑似目地４２も図４（ｃ）に示すように断面が逆台形状の溝として形成されている。そして第２疑似目地４２は、第１疑似目地４１よりも幅が狭いが、断面が逆台形状の溝のように深さによって幅が異なる場合には、幅とは、対向する開口縁間の距離である開口幅を意味する。この場合、第２疑似目地４２の開口幅Ｗ２は、第１疑似目地４１の開口幅Ｗ１よりも狭く、好ましくは第１疑似目地４１の開口幅Ｗ１の８０％以下である。また第２疑似目地４２の深さＤ２は、第１疑似目地４１の深さＤ１と同じか又はこれよりも浅い深さであり、好ましくは０．５〜７．５ｍｍである。特に深さＤ２の異なる複数種類の第２疑似目地４２を混在させて建築板１に設けることが好ましい。
【００２０】
また本発明の第２の態様において第２疑似目地４２は、幅及び深さの少なくともいずれか一方の寸法が第１疑似目地４１よりも小さい。すなわち、次の３つの場合がある。
【００２１】
第一に、第２疑似目地４２が、第１疑似目地４１の幅よりも狭い幅を有し、かつ第１疑似目地４１の深さよりも浅い深さを有する場合である。
【００２２】
第二に、第２疑似目地４２が、第１疑似目地４１の深さよりも浅い深さを有する場合である。この場合、第２疑似目地４２の幅は、第１疑似目地４１の幅と同じか又はこれよりも広い幅であるが、好ましくは第１疑似目地４１の幅と同じである。
【００２３】
第三に、第２疑似目地４２は、第１疑似目地４１の幅よりも狭い幅を有する場合である。この場合、第２疑似目地４２の深さは、第１疑似目地４１の深さと同じか又はこれよりも深い深さであるが、好ましくは第１疑似目地４１の深さと同じである。
【００２４】
次に、本発明において第１疑似目地４１及び第２疑似目地４２がもたらす効果について具体例を挙げて説明する。
【００２５】
図６（ａ）は１枚の建築板に第１疑似目地４１を等間隔に２本平行に設け、第２疑似目地４２を設けない一例を示すものである。このような建築板１において、第２疑似目地４２を除く凹条４は設けられていてもよいが、その図示は省略している。そして、図６（ａ）に示す建築板１を上下に２枚隣り合わせ、上の建築板１の下端と下の建築板１の上端とを突き合わせて設置すると、図６（ｂ）に示すようになるが、第１疑似目地４１は接合目地３と同じ形状であるので、両者の区別がつきにくくなり、建築板１，１同士の接合箇所を目立ちにくくすることができる。
【００２６】
しかしその反面、接合目地３への視線が第１疑似目地４１にも分散されることで、接合目地３と第１疑似目地４１とで囲まれた領域Ａ１，Ａ３や、上下の第１疑似目地４１で囲まれた領域Ａ２がそれぞれ１つの単位として、全体が複数の単位からなることが際立ってしまう。例えば、実際には１枚の建築板１であるにもかかわらず、この建築板１があたかも領域Ａ１，Ａ２，Ａ３をそれぞれ有する３枚の建築板からなっているような錯覚を、建築板１を見る者に与える。
【００２７】
そこで、本発明においては、第１疑似目地４１のほか、所定の幅及び深さを有する第２疑似目地４２を建築板１に設けるようにしている。すなわち、図６（ａ）に示す建築板１にさらに第２疑似目地４２を設けた建築板１が、図５（ａ）に示す建築板１である。この建築板１には、他の建築板１と隣り合って接合目地３が形成される接合箇所と第１疑似目地４１との間、第１疑似目地４１，４１同士の間にそれぞれ第２疑似目地４２を２本、等間隔に平行に設けられている。そして、図５（ａ）に示す建築板１を上下に２枚隣り合わせて設置すると、図５（ｂ）に示すようになる。このように設置された建築板１の表面に光が当たった場合、第２疑似目地４２は、第１疑似目地４１とは幅及び深さの少なくともいずれか一方の寸法が異なるので、この両者に生じる陰影は異なるものとなる。よって、第２疑似目地４２を設けると、接合目地３や第１疑似目地４１に対する視線を弱めることができる。これにより、全体が複数の単位、例えば複数の建築板などからなっていると錯覚することを抑制することができる。
【００２８】
上記のように、本発明においては、第１疑似目地４１と第２疑似目地４２とが相俟って、建築板１，１同士の接合箇所である接合目地３を目立ちにくくすることができ、さらに１枚の建築板１が複数の単位からなることを認識しにくくすることができる。
【符号の説明】
【００２９】
１  建築板
２  凸条
３  接合目地
４１  第１疑似目地
４２  第２疑似目地
【図２】
2015140607.tif 000003
【図３】
2015140607.tif 000004
【図４】
2015140607.tif 000005
【図５】
2015140607.tif 000006
【図６】
2015140607.tif 000007
【図１】
2015140607.tif 000008